(57)【特許請求の範囲】
【請求項１】
被測定部に巻き付けられる帯状のカフ本体と、
前記カフ本体に支持された膨張袋と、
前記カフ本体の基端から所定の距離を持って前記カフ本体の外周面に保持され、前記カフ本体の先端が差し込まれるリング状部材と、を備えた血圧計用カフにおいて、
前記リング状部材の保持位置よりも基端側の前記カフ本体と前記リング状部材側とを連結する連結手段を備え、
前記連結手段は、前記リング状部材を前記カフ本体の外周面に保持する保持部材と一体的に形成され、
前記保持部材と前記連結手段は、重ね合わせた二枚の布材または折り返して重ね合わせた一枚の布材から成り、前記布材が中央部で縫い合わされることによって前記リング状部材が挿通される環状部が形成されるとともに、前記布材の両端部が前記カフ本体の外周面に縫い合わされることを特徴とする血圧計用カフ。
【請求項２】
前記リング状部材は、前記環状部に挿通される部分の断面が非円形であること特徴とする請求項１に記載の血圧計用カフ。
【請求項３】
前記膨張袋は、前記リング状部材の保持位置よりも基端側まで配置されることを特徴とする請求項１〜２のいずれか１に記載の血圧計用カフ。
【請求項４】
前記リング状部材が前記カフ本体の短手方向にずれることを防止する位置ずれ防止手段を備えることを特徴とする請求項１〜３のいずれか１に記載の血圧計用カフ。
【発明の詳細な説明】
【技術分野】
【０００１】
本発明は血圧計用カフに係り、特にカフの端部近傍に設けられたリング状部材にカフの他方の端部を通して折り返すことによってカフを装着する血圧計用カフに関する。
【背景技術】
【０００２】
血圧計として、上腕部や手首等に装着される血圧計用カフ（以下、カフ）を備えたものが知られている。カフの内部には膨張袋が設けられており、この膨張袋に加圧空気が送り込まれる。これにより、膨張袋で阻血を行うことができ、血圧を測定することができる。
【０００３】
カフの装着方法はいくつかあるが、たとえば折り返し装着タイプのカフは、長手方向の縁にリング状部材が設けられており、そのリング状部材にカフの他方の端部を差し込んで折り返すことによって、被測定部への装着が行われる（特許文献１参照）。
【０００４】
しかしながら、このような構成のカフは、リング状部材がカフの縁に配置されているため、リング状部材の感触が被測定部にダイレクトに伝わるという問題があった。さらに、被測定部が想定よりも細く、膨張袋が１周してリング状部材の外側に出てしまった場合には、外側の膨張袋が膨張することによって、被測定部がカフとともにリング状部材に引き込まれるおそれがあった。
【０００５】
これに対して、特許文献２のカフは、縁から離れた位置にリング状部材が取り付けられている。このため、リング状部材の内側にもカフが配置されるので、リング状部材による被測定部への圧迫を緩和することができる。また、被測定部がリング状部材に引き込まれることを、リング状部材の内側に配置されたカフによって防止することができる。
【０００６】
しかしながら、特許文献２のカフは、リング状部材よりも端部側が内側に折れ曲がってしまうことがあり、折れ曲がってしまった場合には測定精度が低下するという問題があった。
【先行技術文献】
【特許文献】
【０００７】
【特許文献１】特開２００６−１３０３３１
【特許文献２】特開２００２−５１９９４
【発明の概要】
【発明が解決しようとする課題】
【０００８】
本発明はこのような事情に鑑みて成されたものであり、リング状部材による被測定部の圧迫やリング状部材への被測定部の引き込みを防止でき、さらには、リング状部材よりも端部側の折れ曲がりを防止することのできる血圧計用カフを提供することを目的とする。
【課題を解決するための手段】
【０００９】
請求項１に記載の発明は前記目的を達成するために、被測定部に巻き付けられる帯状のカフ本体と、前記カフ本体に支持された膨張袋と、前記カフ本体の基端から所定の距離を持って前記カフ本体の外周面に保持され、前記カフ本体の先端部が差し込まれるリング状部材と、を備えた血圧計用カフにおいて、前記リング状部材の保持位置よりも基端側の前記カフ本体と前記リング状部材側とを連結する連結手段を備え、前記連結手段は、前記リング状部材を前記カフ本体の外周面に保持する保持部材と一体的に形成され、前記保持部材と前記連結手段は、重ね合わせた二枚の布材または折り返して重ね合わせた一枚の布材から成り、前記布材が中央部で縫い合わされることによって前記リング状部材が挿通される環状部が形成されるとともに、前記布材の両端部が前記カフ本体の外周面に縫い合わされることを特徴とする。
【００１０】
本発明によれば、カフ本体の基端側が連結手段を介してリング状部材側に連結されるので、カフ本体の基端側は外周面側に支えられた状態であり、内周面側に折れ曲がることを防止できる。特に、カフ本体の先端部をリング状部材に差し込む際は、リング状部材を外側に立てるので、その動きに連動してカフ本体の基端側が外周面側に引っ張られる。したがって、装着時にカフ本体の基端側が内周側に折れ曲がることを防止することができる。
【００１２】
また、本発明によれば、布材を縫製することによって、保持部材と連結手段を一体的に作成することができる。

【００１３】
請求項２の発明は請求項１において、前記リング状部材は、前記環状部に挿通される部分の断面が非円形であること特徴とする。このように断面が非円形のリング状部材を用いると、リング状部材を回動した際、カフ本体の基端側がリング状部材に連動し、カフ本体の基端側の折れ曲がりを確実に防止できる。
【００１４】
請求項３の発明は請求項１〜２のいずれか１の発明において、前記膨張袋は、前記リング状部材の保持位置よりも基端側まで配置されることを特徴とする。これにより、リング状部材の被測定部側に膨張袋が配置されるので、リング状部材の感触が被測定部にダイレクトに伝わることを防止できる。
【００１５】
請求項４の発明は請求項１〜３のいずれか１の発明において、前記リング状部材が前記カフ本体の短手方向にずれることを防止する位置ずれ防止手段を備えることを特徴とする。本発明によれば、位置ずれ防止手段が設けられているので、リング状部材がカフ本体の短手方向にずれることを防止することができる。また、リング状部材の位置がカフ本体の短手方向にずれることを防止したので、リング状部材の動作にカフ本体の基端側に連動し、カフ本体の基端側が内周面側に折れ曲がることを確実に防止できる。
【発明の効果】
【００１６】
本発明によれば、カフ本体の基端側が連結手段を介してリング状部材側に連結されているので、カフ本体の基端側は連結手段によって外周面側に支えられており、内周面側に折れ曲がることを防止することができる。
【図面の簡単な説明】
【００１７】
【図１】本発明に係るカフが適用された血圧測定装置の概略構成を示す図
【図２】第１の実施形態のカフを示す平面展開図
【図３】取付部材の構成を模式的に示す断面図
【図４】カフの作用を説明する説明図
【図５】リング状部材の位置決め手段を備えたカフの説明図
【図６】図５と異なる位置決め手段を備えたカフの説明図
【図７】取付部材が異なるカフの平面展開図
【発明を実施するための形態】
【００１８】
以下、添付図面に従って、本発明に係る血圧計用カフの好ましい実施形態について説明する。図１は、本発明の血圧計用カフ（以下、カフ）が適用された血圧測定装置の概略構成を示している。
【００１９】
同図に示す血圧測定装置１４は、被測定部１２に装着したカフ１０によって阻血をしながら血圧を自動的に計測する装置である。カフ１０の構成は後で詳説するが、カフ１０にはコネクタ１６が設けられ、このコネクタ１６に主配管１８が接続されている。主配管１８には空気ポンプ２０と排気制御弁２２が接続されており、空気ポンプ２０によって空気を供給したり、排気制御弁２２から空気を排出したりすることができる。
【００２０】
また、主配管１８は圧力センサ２４に接続されており、この圧力センサ２４によってカフ１０内の膨張袋５６（図２参照）の圧力値が検出される。圧力センサ２４はローパスフィルタ２６とバンドパスフィルタ２８に接続されており、圧力センサ２４から圧力信号ＳＰが出力される。ローパスフィルタ２６は圧力信号ＳＰに基づいてカフ１０の圧迫圧を表すカフ圧信号ＳＫを生成し、バンドパスフィルタ２８は生体の心拍に同期して発生する圧力振動の脈波信号ＳＭを生成する。これらの信号ＳＫ、ＳＭは、Ａ／Ｄ変換器３０を介して電子制御装置３２に出力される。
【００２１】
電子制御装置３２は、所謂マイクロコンピュータであり、ＣＰＵ３４、ＲＡＭ３６、ＲＯＭ３８を備えており、ＣＰＵ３４がＲＡＭ３６の記憶機能を利用しつつ、予めＲＯＭ３８に記憶されたプログラムに従って入力信号を処理するようになっている。この制御装置３２によれば、空気ポンプ２０、排気制御弁２２をそれぞれ制御することができる。なお、電子制御装置３２には、起動押釦スイッチ４０が接続されており、この起動押釦スイッチ４０から起動信号ＳＳが出力される。また、電子制御装置３２には表示部４２が接続され、この表示部４２に測定結果などが表示される。
【００２２】
以上のように構成された血圧測定装置１４によれば、起動押釦スイッチ４０が操作されると、空気ポンプ２０からカフ１０に圧縮空気（気体）が供給される。これにより、カフ１０内の膨張袋５６（図２参照）が膨張し、膨張袋５６内の圧力が急速昇圧する。そして、膨張袋５６内の圧力値が目標昇圧値（予め最高血圧値よりも十分に高く設定された値）に到達した後、膨張袋５６への供給が停止され、膨張袋５６内の空気が徐々に排気される。その間、脈波信号ＳＭの大きさの変化に基づいて最高血圧値および最低血圧値が決定され、表示部４２に表示される。最後に膨張袋５６内の空気が急速排気され、血圧測定が終了する。
【００２３】
次に本実施の形態のカフ１０について図２に基づいて説明する。図２は平面展開したカフ１０の外周面を示している。
【００２４】
同図に示すように、カフ１０は主として、カフ本体５０、リング状部材５２、取付部材５４、膨張袋５６を備えている。カフ本体５０は、帯状に形成された外布６２と、その内側で略同形状の内布６４（不図示）を重ねあわせ、その周囲に縁布６６を配置し、これらを縫製することによって帯状且つ袋状に形成される。これらの外布６２、内布６４、縁布６６の材質は特に限定するものではないが、可塑性を有するとともに比較的伸縮不能な素材、たとえば合成樹脂繊維布や不織布などが用いられる。なお、カフ本体５０の構成は上述した実施形態に限定されるものではなく、たとえば外布６２、内布６４、縁布６６以外の布材を用いてもよい。
【００２５】
カフ本体５０は、長手方向の一方側（図中左側）が一定幅で形成されるとともに、他方側（図中右側）が徐々に幅が狭くなるように形成されている。ここで、一定幅側（図２の左側）の端部を基端、徐々に狭くなる側（図２の右側）の端部を先端とする。
【００２６】
カフ本体５０の内部には、膨張袋５６が設けられる。膨張袋５６は、カフ本体５０が一定幅の部分の内部に設けられており、その基端は後述するリング状部材５２の保持位置を越えて配置されている。すなわち、膨張袋５６は、リング状部材５２の保持位置にも配置されている。膨張袋５６の構成は図示しないが、たとえば相互に重ねられた外側シートと内側シートをその周縁部で高周波溶着や超音波溶着等によって気密に固着することによって構成される。また、膨張袋５６の材質は特に限定するものではないが、軟質で可撓性を有するもの、例えば軟質ポリ塩化ビニルシートや天然或いは合成ゴムシート等で構成される。
【００２７】
カフ本体５０の外周面には、一対のファスナ６８、７０が設けられる。ファスナ６８は先端側に設けられており、弾性変形可能な合成樹脂製の多数の鉤状突起を備えている。一方、ファスナ７０は、ファスナ６８の基端側にファスナ６８よりも広い面積で形成されており、多数のループ状繊維を備えている。これらのファスナ６８、７０を重ね合わせることによって、ファスナ６８、７０が着脱自在に結合される。
【００２８】
カフ本体５０の先端にはチューブ７２が設けられる。チューブ７２は、外布６２と内布６４との間に配置されており、外布６２と内布６４を縫製することにより形成された袋状の収納空間の内部に配置されている。また、チューブ７２は、ゴム等の弾性体から成り、押し潰すことによってリング状部材５２に挿通することができ、且つ、自然の状態ではリング状部材５２に挿通しないようになっている。したがって、チューブ７２をリング状部材５２に挿通させておくことによって、カフ本体５０の先端部がリング状部材５２から抜け落ちることを防止することができる。
【００２９】
カフ本体５０の基端近傍にはリング状部材５２が設けられる。リング状部材５２は、リング状に形成されており、その内側にはスリット状の開口部５２Ａ（図２、図４参照）が形成されている。開口部５２Ａの大きさや形状は特に限定するものではないが、カフ本体５０の先端を挿通できるような大きさ、形状になっている。また、リング状部材５２は、後述の取付部材５４で保持される保持部分５２Ｂ（図３、図４参照）の断面形状が長円状に形成されている。リング状部材５２の保持部分５２Ｂの断面形状は特に限定するものではないが、長円状や楕円形のような非円形とすることが好ましい。
【００３０】
なお、リング状部材５２の材質は特に限定するものではないが、金属や樹脂などを用いることができる。また、リング状部材５２の形状は、リング状に限定されるものではなく、カフ本体５０を先端側から挿通して係合できる形状であればよく、たとえばＣ状（すなわち一部が切り欠かれた形状）であってもよい。
【００３１】
上記の如く構成されたリング状部材５２は、取付部材５４によってカフ本体５０の外布６２に保持されている。図３は取付部材５４の断面を模式的に示している。なお、同図は、取付部材５４の構成を分かり易く示すために、リング状部材５２の一部を二点鎖線で示している。
【００３２】
図３に示すように、取付部材５４は、一枚の布材によって構成されており、この布材を折って重ね合わせた状態で使用される。具体的には、一枚の布材を折って二重にし、その両端の位置αでカフ本体５０の外布６２に縫製することによって取り付けられる。その際、取付部材５４の基端側（図３左側）の端部は、カフ本体５０の基端近傍に縫製される。
【００３３】
取付部材５４の中央部は、二ヶ所の位置βで平行に縫製され、環状部５４Ｂが形成されている。この環状部５４Ｂは、リング状部材５２の保持部分５２Bの外周と略同じ大きさになっており、リング状部材５２の保持部分５２Ｂに全周で密着するようになっている。
【００３４】
このように構成された取付部材５４は、リング状部材５２をカフ本体５０の外周面側に保持する保持手段として機能するとともに、カフ本体５０の基端側とリング状部材５２側とを連結する連結手段として機能する。すなわち、取付部材５４は、環状部５４Ｂの先端側部分５４Ａが前記保持手段として機能し、環状部５４Ｂの基端側部分５４Ｃが前記連結手段として機能する。換言すると、リング状部材５２は、環状部５４Ｂと先端側部分５４Ａによってカフ本体５０に保持されており、カフ本体５０は、リング状部材５２の保持位置よりも基端側が、基端側部分５４Ｃによってリング状部材５２側（正確には環状部５４Ｂ）に連結される。
【００３５】
なお、上述した実施形態では、取付部材５４として一枚の布材を二重に折り重ねて使用したが、これに限定するものではなく、二枚の布材を重ねて使用してもよい。また、本実施の形態では、取付部材５４が二つの手段（すなわち、リング状部材５２を保持する保持手段と、カフ本体５０の基端側とリング状部材５２とを連結する連結手段）を兼用する例であるが、これに限定するものではなく、両者を別部材として構成してもよい。さらに、本実施の形態では、取付部材５４の基端側部分５４Ｃをカフ本体５０の基端近傍を連結したが、連結位置はリング状部材５２の保持位置よりも基端側であればよく、たとえばカフ本体５０の基端側の縁に連結するようにしてもよい。
【００３６】
次に上記の如く構成されたカフ１０の作用について図４に基づいて説明する。図４はカフ１０の作用を説明する説明図であり、図４（ａ）は使用前の状態を示し、図４（ｂ）は装着作業時の状態を示している。なお、これらの図において、取付部材５４と空気袋５６は太い実線で簡略的に示している。
【００３７】
図４（ａ）に示すように、使用前の状態では、リング状部材５２がカフ本体５０の基端側に倒れ、カフ本体５０に接触した状態になっている。カフ１０を装着する際は、図４（ｂ）に示すように、リング状部材５２をカフ本体５０に対して起こした状態にする。このとき、カフ本体５０の基端は、取付部材５４の基端側部分５４Ｃによってリング状部材５２側（正確には環状部５４Ｂ）に連結されているので、外周面側に引っ張られる。したがって、カフ本体５０の基端が内周側に折れ曲がることを防止できる。これに対して、従来の場合（すなわち、取付部材５４の基端側部分５４Ｃがなく、先端側部分５４Ａと環状部５４Ｂしかない場合）には、カフ本体５０の基端側はリング状部材５２の保持位置で折れ曲がりやすくなる。本実施の形態では、上述したように、取付部材５４の基端側部分５４Ｃを設けてカフ本体５４の基端側とリング状部材５２側を連結するようにしたので、カフ本体５０の基端が内周面側に折れ曲がることを防止することができる。
【００３８】
図４（ｂ）のようにリング状部材５２を立てた後、そのリング状部材５２の開口部５２Ａにカフ本体５０の先端を挿入する。これにより、カフ本体５０が環状になるので、その内側に被測定部１２（図１参照）を挿入する。そして、被測定部１２の所定の位置にカフ１０を配置した後、カフ本体５０の先端を引っ張ることによって、被測定部１２にカフ本体５０を密着させる。次いで、カフ本体５０をリング状部材５２の位置で折り返し、先端側のファスナ６８をファスナ７０に密着させる。これにより、カフ１０が被測定部１２に装着される。
【００３９】
なお、カフ１０の装着方法は上述した例に限定されるものではなく、たとえばカフ本体５０の先端に抜け止め用のチューブ７２がない場合は、最初にカフ本体５０を被測定部１２に巻き付け、その後にカフ本体５０の先端をリング状部材５２に挿通させてもよい。
【００４０】
以上説明したように本実施の形態によれば、リング状部材５２の保持位置よりも基端側のカフ本体５０とリング状部材５２側とが取付部材５４により連結されているので、カフ本体５０の基端が内周面側に折れ曲がることを防止することができる。特に本実施の形態では、リング状部材５２の保持部分５２Ｂに取付部材５４の環状部５４Ｂが密着し、さらにリング状部材５２の保持部分５２Ｂが断面非円形で形成されているので、リング状部材５２を立てる動きに連動してカフ本体５２の基端が取付部材５４によって外周面側に引っ張られる。したがって、装着時にカフ本体５０の基端が内周面側に折れ曲がることを確実に防止することができる。これにより、本実施の形態によれば、カフ本体５０の基端が内周面側に折れ曲がった状態で装着されることがないので、高い測定精度を得ることができる。
【００４１】
また、本実施の形態によれば、カフ本体５０の内部に収納された膨張袋５６がリング状部材５２の保持位置にも配置されている。したがって、リング状部材５２の内側（被測定部１２側）には、膨張袋５６が配置されており、リング状部材５２の感触が被測定部１２に直接的に伝わることを防止できる。すなわち、リング状部材５２の内側に膨張袋５６がない場合には、リング状部材５２が直接的に被測定部１２を押圧するという問題が生じるが、本実施の形態では、リング状部材５２の内側に膨張袋５６が配置されているので、このような問題の発生を防止できる。さらに、リング状部材５２の内側に膨張袋５６がない場合には、被測定部１２が想定よりも細いと、膨張袋５６が１周してリング状部材５２からはみ出てしまい、膨張時に被測定部１２がカフ本体５０とともにリング状部材５２に挟み込まれるおそれがあるが、本実施の形態では、リング状部材５２の内側に膨張袋５６が配置されているので、このような問題の発生を防止できる。
【００４２】
なお、上述した実施形態は、リング状部材５２をカフ本体５０の幅方向に（すなわち、長手方向に直交するように）配置したが、これに限定するものではなく、幅方向に若干の傾きを持って配置するようにしてもよい。
【００４３】
また、上述した実施形態において、リング状部材５２をカフ本体５０の幅方向（短手方向）に位置決めする位置決め手段を設けてもよい。図５の各図は、リング状部材５２の位置決め手段を備えたカフの平面展開図（主要部のみ）を示している。たとえば、図５（ａ）に示す実施形態は、取付部材５４に３つの貫通孔５４Ｄが形成されており、リング状部材５２にはこの貫通孔５４Ｄに係合する３つの突起部５２Ｄが形成されている。この突起部５２Ｄが貫通孔５４Ｄに係合することによって、リング状部材５２が取付部材５４に対して位置決めされるので、リング状部材５２の位置が幅方向にずれることを防止できる。なお、図５（ａ）は、貫通孔５４Ｄを突起部５２Ｄよりも大きく示したが、略同じ大きさに形成し、嵌合させるようにしてもよい。また、図５（ａ）において、貫通孔５４Ｄと突起部５２Ｄの数は特に限定するものではないが、複数であることが好ましい。さらに、図５（ａ）において、リング状部材５２に突起部５２Ｄを設ける代わりに、リング状部材５２と取付部材５４とをビス等によって固定してもよい。
【００４４】
図５（ｂ）に示す実施形態では、リング状部材５２の内側（開口部５２Ａ側）に２個の突起部５２Ｅが形成されている。２個の突起部５２Ｅは、取付部材５４の幅寸法と略同じ間隔で配置されており、この突起部５２Ｅに取付部材５４の縁が係合するようになっている。この構成によれば、リング状部材５２の突起部５２Ｅに取付部材５４が係合するので、リング状部材５２の位置が幅方向にずれることを防止できる。
【００４５】
なお、図５（ｂ）の実施形態では、リング状部材５２の内側に突起部５２Ｅを形成したが、図５（ｃ）に示すように外側に突起部５２Ｆを形成してもよい。この場合にもリング状部材５２の突起部５２Ｅに取付部材５４が係合するので、リング状部材５２の位置が幅方向にずれることを防止できる。
【００４６】
また、図６の各図に示すように、リング状部材５２の形状や取付部材５４の縫製位置を変えることによって、リング状部材５２の位置決めを行うようにしてもよい。たとえば、図６（ａ）に示すリング状部材５２は、保持部分５２Ｂが幅方向の中央部で最も太くなるように形成されており、取付部材５４はこの保持部分５２Ｂの形状に合わせて二点鎖線γで示すように縫製されている。このように保持部分５２Ｂの形状と取付部材５４の縫製位置を変えることによって、リング状部材５２を幅方向に位置決めすることができる。同様に、図６（ｂ）に示すリング状部材５２は、保持部分５２Ｂが幅方向の中央部で一定の大きさで形成され、その両側で徐々に小さくなるように形成されており、取付部材５４はこの保持部分５２Ｂの形状に合わせて縫製されている。また、図６（ｃ）に示すリング状部材５２は保持部分５２Ｂの先端側が半楕円形状に形成されており、取付部材５４はこの保持部分５２Ｂの形状に合わせて縫製されている。このようにリング状部材５２の保持部分５２Ｂが幅方向において変化するように形成し、その形状に合わせて取付部材５４を縫製することによって、リング状部材５２を取付部材５４に対して位置決めすることができる。
【００４７】
なお、上述した実施形態は、取付部材５４の幅をカフ本体５０の幅よりも小さくしたが、これに限定するものではなく、図７に示すように、カフ本体５０と同じ幅に形成してもよい。この場合には、リング状部材５２の開口部５２Ａの幅を取付部材５４の幅と略等しく形成することによって、リング状部材５２の位置が取付部材５４に対して幅方向にずれることを防止できる。
【符号の説明】
【００４８】
１０…カフ、１２…被測定部、１４…血圧測定装置、１６…コネクタ、１８…主配管、２０…空気ポンプ、２２…排気制御弁、２４…圧力センサ、２６…ローパスフィルタ、２８…バンドパスフィルタ、３０…Ａ／Ｄ変換器、３２…電子制御装置、３４…ＣＰＵ、３６…ＲＡＭ、３８…ＲＯＭ、４０…起動押釦スイッチ、４２…表示部、５０…カフ本体、５２…リング状部材、５２Ａ…開口部、５２Ｂ…保持部分、５２Ｄ…突起部、５２Ｅ…突起部、５２Ｆ…突起部、５４…取付部材、５４Ａ…先端側部分、５４Ｂ…環状部、５４C…基端側部分、５４Ｅ…貫通孔、５６…膨張袋、６２…外布、６４…内布、６６…縁布、６８…ファスナ、７０…ファスナ、７２…チューブ
【図１】
0005749600.tif 000002
【図２】
0005749600.tif 000003
【図３】
0005749600.tif 000004
【図４】
0005749600.tif 000005
【図５】
0005749600.tif 000006
【図６】
0005749600.tif 000007
【図７】
0005749600.tif 000008